(57)【特許請求の範囲】
【請求項１】
丸ピン型の栓刃を受ける刃受け部と平型の栓刃を受ける刃受け部と、外部から挿入される電線を機械的且つ電気的に接続する速結端子とを埋め込み配線器具の規格化された１個モジュールの大きさとして形成されたケース内に内装するとともに、該ケースに形成された栓刃用挿入孔を開閉する一対の扉をケースに内装したものであって、両側に張り出す一対の翼片を備えた各扉は相互にスライド自在に対向しており、ケースに形成された対の栓刃用挿入孔と上記刃受け部との間に翼片を位置させた上記扉は翼片の上記挿入孔側の面が傾斜面として形成されて、栓刃による傾斜面の押圧でばね付勢に抗してスライドして挿入孔を開くものであり、該扉は両側に張り出す翼片を一対の栓刃用挿入孔の直下に位置させたものであるとともに、両翼片の中間部を中心に揺動自在となっており、ケース内には揺動して傾いた扉の開き動作を阻止するストッパーを備え、栓刃当接面が傾斜面として形成されて栓刃の当接でスライドする上記各扉はスライド方向と逆方向である他方の扉に側に突出して他方の扉との間で扉の倒れ防止を行う倒れ防止部を備えていることを特徴とする扉付きコンセント。
【請求項２】
扉は平型の栓刃の当接部分の近傍に補強リブを備えていることを特徴とする請求項１記載の扉付きコンセント。
【請求項３】
ケース内には刃受け部の異常開きを防ぐ異常開き防止部が設けられていることを特徴とする請求項１記載の扉付きコンセント。
【請求項４】
ケースは栓刃用挿入孔を備えたカバーとボディとからなり、カバーのボディ側の面にはカバーとの係合部を備えた中枠が装着されて中枠とカバー内面との間の空間に扉が配設されていることを特徴とする請求項１記載の扉付きコンセント。
【請求項５】
中枠及びボディは対の栓刃に対応する対の刃受け部の間を仕切る仕切り部を備えているとともに、中枠の仕切り部とボディの仕切り部とは相互係合部を備えていることを特徴とする請求項４記載の扉付きコンセント。
【請求項６】
両扉は同形同大であることを特徴とする請求項１記載の扉付きコンセント。
【請求項７】
両扉は各外側面とカバー内壁面との間に配されたばねによって相互に閉じる方向に付勢されていることを特徴とする請求項１記載の扉付きコンセント。
【請求項８】
両扉は相互に重なるオーバーラップ部を備えていることを特徴とする請求項１記載の扉付きコンセント。
【請求項９】
扉はばねの仮止め係止部を備えていることを特徴とする請求項７記載の扉付きコンセント。
【請求項１０】
ばねはコイルばねであり、扉はボスが内部に突出する穴をばね取り付け部として備えていることを特徴とする請求項７記載の扉付きコンセント。
【請求項１１】
カバーはその内面に対の扉の位置決め手段を備えていることを特徴とする請求項１記載の扉付きコンセント。
【請求項１２】
揺動して傾いた扉の開き動作を阻止するストッパーをケース内の中枠とカバー内面との双方に備えていることを特徴とする請求項４記載の扉付きコンセント。
【請求項１３】
扉はケース内面と相対する両端上面にテーパを備えていることを特徴とする請求項１記載の扉付きコンセント。
【請求項１４】
扉は中枠上面と相対する両端下面にテーパを備えていることを特徴とする請求項１２記載の扉付きコンセント。
【請求項１５】
ストッパーは扉の傾きに合わせたテーパを備えていることを特徴とする請求項４または１２記載の扉付きコンセント。
【請求項１６】
両扉は栓刃当接面が傾斜面として形成されて栓刃の当接でスライドするものであるとともに、両扉の傾斜面の傾斜角度が同一とされていることを特徴とする請求項１記載の扉付きコンセント。
【請求項１７】
扉は両翼片の中間部の半円状部が半円状溝によって受けられて揺動自在となっていることを特徴とする請求項１記載の扉付きコンセント
【発明の詳細な説明】
【０００１】
【発明の属する技術分野】
本発明は、丸ピン型の栓刃と平型の栓刃との両方に対応しているとともに、栓刃挿入孔を通常時は閉じている扉を備えている扉付きコンセントに関するものである。
【０００２】
【従来の技術】
丸ピン型の栓刃と平型の栓刃との両方に対応しているユニバーサルコンセントと称されるコンセントがある。この種のコンセントでは、丸型栓刃用の栓刃挿入孔と平型栓刃用の栓刃挿入孔とが連なって一つの栓刃挿入孔を形成している。
【０００３】
【発明が解決しようとする課題】
この場合、栓刃挿入孔の開口面積が大きいために導電性の異物が差し込まれて感電事故を招く虞が高くなっている。
【０００４】
本発明はこのような点に鑑みなされたものであって、その目的とするところは丸ピン型の栓刃と平型の栓刃との両方に対応している上に感電事故の虞がない扉付きコンセントを提供するにある。
【０００５】
【課題を解決するための手段】
しかして本発明は、丸ピン型の栓刃を受ける刃受け部と平型の栓刃を受ける刃受け部と、外部から挿入される電線を機械的且つ電気的に接続する速結端子とを埋め込み配線器具の規格化された１個モジュールの大きさとして形成されたケース内に内装するとともに、該ケースに形成された栓刃用挿入孔を開閉する一対の扉をケースに内装したものであって、両側に張り出す一対の翼片を備えた各扉は相互にスライド自在に対向しており、ケースに形成された対の栓刃用挿入孔と上記刃受け部との間に翼片を位置させた上記扉は翼片の上記挿入孔側の面が傾斜面として形成されて、栓刃による傾斜面の押圧でばね付勢に抗してスライドして挿入孔を開くものであり、扉によって感電事故を防ぐことができる。
【０００６】
しかも、扉は両側に張り出す翼片を一対の栓刃用挿入孔の直下に位置させたものであるとともに、両翼片の中間部を中心に揺動自在となっており、ケース内には揺動して傾いた扉の開き動作を阻止するストッパーを備えたものとなっており、更に栓刃当接面が傾斜面として形成されて栓刃の当接でスライドする上記各扉はスライド方向と逆方向である他方の扉に側に突出して他方の扉との間で扉の倒れ防止を行う倒れ防止部を備えていることに特徴を有している。
【０００７】
また扉は平型の栓刃の当接部分の近傍に補強リブを備えていることが好ましい。
【０００８】
ケース内には刃受け部の異常開きを防ぐ異常開き防止部を設けておくのが好ましい。
【０００９】
さらにケースが栓刃用挿入孔を備えたカバーとボディとからなる時、カバーのボディ側の面にはカバーとの係合部を備えた中枠が装着されて中枠とカバー内面との間の空間に扉を配設しておくとよい。
【００１０】
上記中枠及びボディは対の栓刃に対応する対の刃受け部の間を仕切る仕切り部を備えているとともに、中枠の仕切り部とボディの仕切り部とは相互係合部を備えていることが好ましい。
【００１１】
前記両扉は同形同大としておくのがよい。
【００１２】
両扉は各外側面とカバー内壁面との間に配されたばねによって相互に閉じる方向に付勢されたものであることが好ましい。
【００１３】
両扉が相互に重なるオーバーラップ部を備えていたり、ばねの仮止め係止部を備えていることも好ましく、ばねがコイルばねである場合、扉はボスが内部に突出する穴をばね取り付け部として備えたものとなっているのが好ましい。
【００１４】
カバーはその内面に対の扉の位置決め手段を備えていることが好ましい。
【００１５】
揺動して傾いた扉の開き動作を阻止するストッパーをケース内の中枠とカバー内面との双方に備えたものとしたり、扉のケース内面と相対する両端上面にテーパを設けたり、扉の中枠上面と相対する両端下面にテーパを設けたり、さらにはストッパーに扉の傾きに合わせたテーパを設けたりすることも、プラグの挿入性の向上や片刃挿入の防止性の向上といった点で好ましい。
【００１６】
両扉が栓刃当接面が傾斜面として形成されて栓刃の当接でスライドするものである時、両扉の傾斜面の傾斜角度は同一としておくとよい。
【００１７】
扉を揺動自在とする場合、両翼片の中間部の半円状部を半円状溝で受けることで揺動自在となっているものが好ましい。
【００１９】
【発明の実施の形態】
以下本発明を実施の形態の一例に基づいて詳述すると、図示のコンセントは、たとえば図２１に示すように、取り付け枠５０を介して配線ボックス５３に取り付けられる埋め込み配線器具として形成されたもので、この種の埋め込み配線器具における規格化された一個モジュールの大きさのものとなっている。
【００２０】
このコンセントにおける外殻を構成するケース１は、一面が開口するボディ１０と、このボディ１０の開口側に取り付けられるカバー１１とで形成されている。上記ボディ１０はその内部が仕切り壁１２で２つの収納部１３，１３に区画されており、各収納部１３には解除釦２９と２個の鎖錠ばね２６，２６と刃受けばね２とが夫々収められている。
【００２１】
刃受けばね２は弾性を有する導電性金属材料より形成されたもので、一対の弾性片２２，２２が相対している丸ピン型栓刃用の刃受け部２０と、上記弾性片２２，２２の片側の側縁とこの側縁に対向する弾性片２３とからなる平型栓刃用の刃受け部２１とを備えるとともに、上記鎖錠ばね２６，２６とによって速結端子を構成している端子板部２５を備えたもので、該速結端子には、ボディ１０の背面側に形成された電線挿入孔から電線の被覆を剥いだ先端を差し込むことで結線がなされる。なお、上記解除釦２９はこの結線を解除するためのもので、ボディ１０の背面に開口している解除用孔１９からドライバーなどの先端を差し込むことで解除釦２９を動かして鎖錠ばね２６を撓ますことで、鎖錠ばね２６の端縁による電線の端子板部２５への押し付けを緩めて電線を引き抜くことで、結線の解除を行うことができる。
【００２２】
ボディ１０の開口面側に取り付けられるカバー１１は、その表面に一対の端子挿入孔１４，１４を備えている。各端子挿入孔１４は、丸ピン型栓刃用の挿入孔１４ａと平型栓刃用の挿入孔１４ｂとが一体となっているもので、対の挿入孔１４ａ，１４ａの内側に対の挿入孔１４ｂ，１４ｂが位置している。
【００２３】
カバー１１の内部には一対の扉４，４と一対のばね５，５、そして中枠３が納められる。中枠３は一対の貫通孔３１，３１と、この貫通孔３１，３１の間に位置する溝３０と、各貫通孔３１の両側に位置する突部３２，３２とを備えたもので、図８に示すように、カバー１１内壁に設けられた突起１７との係合でカバー１１に仮止めすることができるものとなっている。そして、上記の一対の扉４，４と一対のばね５，５とは該中枠３とカバー１１の内面との間に配設される。
【００２４】
同形のものとして形成されている一対の扉４は、両側に張り出す翼片４１，４１と、他方の扉４側に突出する棒状片４０とを備えたもので、棒状片４０は中央よりも翼片４１側に寄った位置に設けられており、両扉４，４を相対させて組み合わせた時、棒状片４０，４０同士が並ぶとともに、相互にスライド自在となっている。また、各翼片４１，４２の上面は他方の扉４側が低くなる傾斜面４３として形成されている。
【００２５】
この扉４，４は、上記棒状片４０，４０が中枠３の溝３０に納められるとともに、その外面側とカバー１１の内壁との間にコイルばねであるばね５，５が配された状態でカバー１１内に納められ、ばね５，５による付勢で両扉４，４は相互に接する状態となる。
【００２６】
中枠３及び扉４，４を納めたカバー１１は、金属製の組み立て枠６，６によってボディ１０に取り付けられるのであるが、カバー１１に被せた組み立て枠６の先端をボディ１０の外面に係止することで組み立てた時、図８に示すように、中枠３の貫通孔３１内に上記刃受けばね２の刃受け部２０，２１が位置するとともに、中枠３はボディ１０における前記仕切り壁１２と係合して、両刃受けばね２，２間を分離し、プラグの開閉によって発生する切り粉の回り込みで短絡が生じてしまうことを防ぐ。また、貫通孔３１の内部に刃受け部２０，２１を位置させることで、刃受けばね２の異常開きを阻止する。図８中の３５は刃受け部２１用の異常開き防止部を示している。そして扉４，４は、カバー１１の挿入孔１４と刃受けばね２との間に位置する。
【００２７】
すなわち、一方の扉４の翼片４１は他方の扉４の翼片４２に少し被さることで隙間が両扉４，４間に生ずることがない状態で両扉４，４がばね５，５による付勢で接触しているのであるが、このように閉じた扉４，４が挿入孔１４と刃受けばね２との間に位置して、図２に示すように、挿入孔１４の奥に位置する刃受けばね２を隠す。
【００２８】
ここにおいて、カバー１１の内面には、図７に示すように位置決めリブ１８が突出しており、ばね５で付勢されている扉４は図５に示す当接面４６を位置決めリブ１８に当接させることで、両扉４，４は閉じた状態の位置が定められる。
【００２９】
この状態で、プラグの栓刃を両挿入孔１４に差し込めば、各栓刃は扉４，４の翼片４１，４２の傾斜面４３を押すことで、扉４をばね５に抗して動かして、両扉４，４の間を広げるものであり、このために栓刃は刃受けばね２にまで達して、栓刃が丸ピン型のものであれば刃受け部２０に、平型のものであれば刃受け部２１に差し込まれる。プラグを抜けば、両扉４，４はばね５，５による付勢で復帰して再度挿入孔１４を閉じる状態となる。
【００３０】
そして、この扉付きコンセントにおいては、プラグにおける一対の栓刃が同時に差し込まれない時、つまり図９に示すように、片側の栓刃７０のみが差し込まれる時には、扉４，４が開かず、片方の栓刃７０のみが刃受けばね２に差し込まれるという状態が生じないようになっている。すなわち、片方の栓刃７０のみを差し込んだ時には、図９に示すように、両扉４，４は中枠３の溝３０によって受けられている棒状片４０，４０を中心として栓刃７０で押されて片側に傾くものであり、この傾きによって図９及び図１０に示すように、翼片４１，４２は中枠３の突部３２，３２間に入り込み、栓刃７０が傾斜面４３を押すことで両扉４，４を押し開こうとしても、ストッパーである突部３２との干渉で開くことがないものである。なお、栓刃７０を差し込んだ時、傾斜面４３に栓刃７０が当たる関係で、図６において左右方向にも扉４が傾こうとするが、各扉４のスライド方向と逆方向である他方の扉４側に向けて突出する棒状片４０が他方の扉４の下に位置しているために、他方の扉４によって傾きが阻止されてしまうものであり、このために扉４はスライド方向において倒れることがないものである。
【００３１】
各扉４の平型の栓刃７０が当たることになる部分の中枠３側の面に設けたリブ４７は、平型の栓刃７０の挿入時に扉４にかかる抵抗が大きいことに鑑みて設けた補強リブである。
【００３２】
また、コイルばねである一対のばね５，５を扉４，４の間に設けずに両サイドに設けているのは、扉４，４の開閉によってばね５，５が折れても異極間の短絡が生じることがないようにしている意味を有している。なお、扉４におけるばね５を受ける部分は、図５及び図６に示すように、内部にボス４５が突出する穴４４として形成されており、ばね５を穴４４にはめ込めば、根元が太くなっているボス４５にばね５が係合するようになっている。組み立てに際しては、扉４にばね５を組み付けた状態でカバー１１内に組み入れるわけであるが、ばね５が扉４から抜け落ちることがなくて、組み立て作業性がよいものである。
【００３３】
ところで、図１１に示すように、２つの栓刃７０，７０が同時に差し込まれたものの、斜めに差し込まれた場合は、扉４、４が傾くために、片側の栓刃７０のみが指し込まれた時と同様に扉４，４は開かないのであるが、この状態から、ロックした方の力Ｆ１を抜いて他方の力Ｆ２を大きくしていくと、扉４，４は元の状態に戻ってロックが解除され、栓刃７０，７０が正対した時点でさらに押し込むことによって扉４，４が開いて栓刃７０，７０は刃受けばね２，２に接続される。しかし上記力Ｆ１の力を抜かずに力Ｆ２を大きくすると、扉４，４はロックした状態でさらに力が加えられることになるために、図１１(a)に示すように、扉４，４は「ハ」の字形に広がるため、挿入性が悪くなる。また、力Ｆ１，Ｆ２の荷重が高いと、扉４，４の棒状片４０に大きい曲げモーメントが加わって折れてしまう事態を招くことになる。
【００３４】
このような点に対しては、カバー１１の内面四隅にもストッパーを設けるとよい。つまり、図１２に示すように、傾いた扉４，４の翼片４１，４２の先端部と当接して扉４，４が開くことを防ぐ突部１６を設けるのである。図１３に示すように、両扉４，４は共にその両端が突部３２，１６によって開く方向の動きが阻止されるために、扉４，４が「ハ」の字形に広がることがなくなる。なお、中枠３の突部３２と扉４との係合よりもカバー１１の突部１６と扉４との係合が先に外れては、扉４が「ハ」の字形になってしまうおそれがあるために、突部３２と扉４との係合深さイよりも突部１６と扉４との係合深さロの方を大きくしておく。これによって、プラグ挿入性の改善と扉４，４の破損の防止とを行うことができる。
【００３５】
図１４及び図１５に他例を示す。これは、カバー１１に突部１６を設けたものにおいて、扉４の両端上面にテーパ４８を設けている。狭いスペースでも扉４の傾斜角度βを大きくすることができるために、また、扉４と突部１６との当接面積を大きくすることができるために、片刃挿入の防止をより確実に行うことができる。
【００３６】
もちろん、図１６に示すように、扉４の両端下面にもテーパ４９を設けることは有効であり、この場合、扉４の傾斜角度をさらに大きくすることができる上に、扉４と突部３２，１６との当接面積を大きくすることができるために、片刃挿入の防止性を高めることができる。
【００３７】
扉４側にテーパを設ける代わりに、突部３２の上面や突部１６の下面にテーパを設けてもよい。図１７は突部３２に扉４の傾きに合わせたテーパを設けた場合を示している。扉４の傾斜角度を大きくすることはできないが、扉４の傾斜角度が少ない場合でも、扉４と突部３２との当接面積を大きくすることができ、片刃挿入の防止性を高めることができる。
【００３８】
図１８に別の例を示す。これは扉４の翼片４１，４２を対称にしたもので、翼片４１が他方の扉４２の上に重なる部分も無くしている。翼片４１及び翼片４２の傾斜面４３，４３の角度αが同じとなるために、栓刃７０が挿入された時に左右の扉４，４は均一に動くことになり、栓刃７０の挿入性が良くなる。また、翼片４１，４２の肉厚が小さい部分をなくすことができるために、扉４の強度も高くなる。
【００３９】
図１９及び図２０は扉４のさらに他例を示している。ここにおける扉４は、その中央下部の棒状片４０を半円状のものとするとともに、両扉４，４を相対させて組み合わせた時、棒状片４０，４０同士が軸方向に並ぶようにしており、中枠３における棒状片４０を受ける溝３０も断面半円状のものとして、扉４の左右の傾きがスムーズに行われるようにしている。扉４の支点位置が中心からずれることによる初期傾きを無くすことができるために、プラグの挿入性が向上するものであり、また、棒状片４０において、扉４から飛び出している部分が無いことから、棒状片４０が折れたりする虞も無くなるために、組立性及び成形性も向上する。
【００４０】
以上の実施の形態においては、一対の扉４，４で挿入孔１４を閉じるようにしたものを示したが、単一の扉４のみで挿入孔１４を閉じるようにしたものであってもよい。もっとも、２個の扉４，４を組み合わせて挿入孔１４を閉じる方が、挿入孔１４を開いた時の扉４の退避スペースが小さくてすむために、図示例のような１個モジュールのものに扉４を設ける場合に有利である。
【００４１】
また２個１組の扉４，４を用いるにあたり、ここでは同形同大のものを用いて部品の種類数の削減を図っているが、両扉４，４は必ずしも同形同大のものである必要はない。
【００４２】
図２１は上記コンセントを埋め込み配線ボックス５３に取り付ける場合を示しており、組み立て枠６から突出する係止突起６０を取り付け枠５０に係止させて取り付け枠５０に取り付けた状態で配線ボックス５３の表面に固定される。そして配線ボックス５３の表面にはプレート５１を介して表面プレート５２が取り付けられ、コンセントの表面が表面プレート５２に形成された窓に臨む。
【００４３】
【発明の効果】
以上のように本発明においては、丸ピン型の栓刃を受ける刃受け部と平型の栓刃を受ける刃受け部と、外部から挿入される電線を機械的且つ電気的に接続する速結端子とを埋め込み配線器具の規格化された１個モジュールの大きさとして形成されたケース内に内装しているために、１個モジュールの大きさでありながら、丸ピン型の栓刃と平型の栓刃との両方に対応することができるものであり、しかもケースに形成された栓刃用挿入孔を開閉する一対の扉をケースに内装するとともに、両側に張り出す一対の翼片を備えた各扉は相互にスライド自在に対向しており、ケースに形成された対の栓刃用挿入孔と上記刃受け部との間に翼片を位置させた上記扉は翼片の上記挿入孔側の面が傾斜面として形成されて、栓刃による傾斜面の押圧でばね付勢に抗してスライドして挿入孔を開くものであるために、扉によって不用意な感電事故を防ぐことができるものである。
【００４４】
しかも、扉は両側に張り出す翼片を一対の栓刃用挿入孔の直下に位置させたものであるとともに、両翼片の中間部を中心に揺動自在となっており、ケース内には揺動して傾いた扉の開き動作を阻止するストッパーを備えたものとなっている。このために片方の栓刃のみを差し込んだ時には扉が傾いて開くことが防がれるために、片栓刃挿入による事故を防ぐことができる。また、栓刃当接面が傾斜面として形成されて栓刃の当接でスライドする上記各扉はスライド方向と逆方向である他方の扉に側に突出して他方の扉との間で扉の倒れ防止を行う倒れ防止部を備えていることから、傾斜面である栓刃当接面に栓刃が当接して扉がスライドする時、倒れ防止部によって扉はスライド方向において倒れる（傾く）ことがなく、扉のスムーズな開閉動作を得ることができる。
【００４５】
また扉が平型の栓刃の当接部分の近傍に補強リブを備えていると、平型栓刃の挿入時にかかる抵抗で扉が破損することがない。
【００４６】
ケース内には刃受け部の異常開きを防ぐ異常開き防止部を設けておくのが丸ピン型と平型の栓刃とを受けることができるものにおけるクリアランスの大きさに起因する刃受けばねの損傷を防止することができる。
【００４７】
さらにケースが栓刃用挿入孔を備えたカバーとボディとからなる時、カバーのボディ側の面にはカバーとの係合部を備えた中枠が装着されて中枠とカバー内面との間の空間に扉を配設しておくと、良好な組み立て性を得ることができる。
【００４８】
上記中枠及びボディは対の栓刃に対応する対の刃受け部の間を仕切る仕切り部を備えているとともに、中枠の仕切り部とボディの仕切り部とは相互係合部を備えていることが好ましい。プラグの開閉により発生する切り粉の回り込みによる短絡を防ぐことができる。
【００４９】
前記扉は２枚の扉で形成して、１個モジュールのケース内に無理なく扉の退避スペースを確保することができるようにしているが、特に両扉を同形同大としておくと、製造組み立ての合理化を図ることができる。
【００５０】
両扉は各外側面とカバー内壁面との間に配されたばねによって相互に閉じる方向に付勢されたものであることがばねの折損に起因する異極間短絡の防止に有利である。
【００５１】
両扉が相互に重なるオーバーラップ部を備えたものでは、両扉間に隙間が生じることがない上に、細い異物が通過してしまうことを防ぐことができる。また、扉がばねの仮止め係止部を備えていると、ばねと扉とをカバー内に組み込むことが容易となり、ばねがコイルばねである場合、扉はボスが内部に突出する穴をばね取り付け部として備えたものとなっていると、扉へのばねの組み付けが容易となる。
【００５２】
カバーはその内面に対の扉の位置決め手段を備えていることが好ましい。扉の閉じた位置を適切な位置とすることができ、これに伴って栓刃で扉を押すことで扉を開く動作をスムーズにすることができる。
【００５３】
揺動して傾いた扉の開き動作を阻止するストッパーをケース内の中枠とカバー内面との双方に備えたものとすれば、片栓刃の挿入防止性を高めることができる上に、扉にかかる力を分散させることができるために、扉の強度を実質的に高くすることができる。
【００５４】
扉のケース内面と相対する両端上面にテーパを設けたり、扉の中枠上面と相対する両端下面にテーパを設けたりすれば、狭い空間内での扉の傾斜角度を大きくとることができるために、片栓刃の挿入防止性を高めることができる。
【００５５】
さらにはストッパーに扉の傾きに合わせたテーパを設ければ、扉の傾斜角度が小さい場合でも扉とストッパーとの当接面積を大きくすることができるために、片刃挿入の防止性を高めることができる。
【００５６】
両扉が栓刃当接面が傾斜面として形成されて栓刃の当接でスライドするものである時、両扉の傾斜面の傾斜角度は同一としておくと、プラグの挿入性を向上させることができる。
【００５７】
また、扉を揺動自在とする場合、両翼片の中間部の半円状部を半円状溝で受けることで揺動自在としておけば、扉の傾きがスムーズになされる上に初期傾きを無くすことができるために、プラグの挿入性を向上させることができる。
【図面の簡単な説明】
【図１】本発明の実施の形態の一例の分解斜視図である。
【図２】  (a)は同上の正面図、(b)は同上のカバーを外した状態の正面図である。
【図３】  (a)は同上の扉が開いている状態の正面図、(b)は扉が開いた状態でカバーを外した状態の正面図である。
【図４】同上の破断側面図である。
【図５】同上の扉とばねの分解斜視図である。
【図６】  (a)(b)は同上の扉の組み合わせ状態を示す断面図である。
【図７】  (a)はカバーの背面図、(b)はカバーを外した状態の正面図である。
【図８】同上の縦断面図である。
【図９】片側の栓刃のみを差し込んだ状態を示すもので、(a)は縦断面図、(b)は一部拡大図である。
【図１０】片側の栓刃のみを差し込んだ状態を示すもので、(a)は横断面図、(b)は一部拡大図である。
【図１１】プラグが斜めに挿入された場合の扉の動きを示すもので、(a)はカバーを外した状態の正面図、(b)は断面図である。
【図１２】他例を示すもので、(a)は同上の部分断面図、(b)は縦断面図である。
【図１３】同上の片側の栓刃のみを差し込んだ状態を示すもので、(a)は横断面図、(b)(c)は一部拡大図である。
【図１４】扉の他例の側面図である。
【図１５】同上の扉を備えたものにおいて片側の栓刃のみを差し込んだ状態を示すもので、(a)は横断面図、(b)は一部拡大図である。
【図１６】別の例において片側の栓刃のみを差し込んだ状態を示すもので、(a)は横断面図、(b)(c)は一部拡大図である。
【図１７】さらに他の例において、片側の栓刃のみを差し込んだ状態を示すもので、(a)は横断面図、(b)は一部拡大図である。
【図１８】異なる例を示しており、(a)は正面図、(b)は部分断面図である。
【図１９】他例における扉と中枠の分解斜視図である。
【図２０】同上の縦断面図である。
【図２１】取り付け状態を示す分解斜視図である。
【符号の説明】
１  ケース
２  刃受けばね
４  扉
【図１】
0003711769.tif 000002
【図２】
0003711769.tif 000003
【図３】
0003711769.tif 000004
【図４】
0003711769.tif 000005
【図５】
0003711769.tif 000006
【図６】
0003711769.tif 000007
【図７】
0003711769.tif 000008
【図８】
0003711769.tif 000009
【図９】
0003711769.tif 000010
【図１０】
0003711769.tif 000011
【図１１】
0003711769.tif 000012
【図１２】
0003711769.tif 000013
【図１３】
0003711769.tif 000014
【図１４】
0003711769.tif 000015
【図１５】
0003711769.tif 000016
【図１６】
0003711769.tif 000017
【図１７】
0003711769.tif 000018
【図１８】
0003711769.tif 000019
【図１９】
0003711769.tif 000020
【図２０】
0003711769.tif 000021
【図２１】
0003711769.tif 000022